(57)【要約】【課題】自身のランプの光出力に応じた調光制御が可能な照明装置であって、発熱量の大きいランプを用いても、その発熱による信頼性低下を抑制することができる照明装置を提供する。【解決手段】照明装置１は、筐体２と、筐体２内に収容されたランプ３と、筐体２内に収容されランプ３の光出力を反映した照度を検出する照度センサ４と、筐体内に収容され照度センサ４からの検出信号に基づいてランプ３を調光制御する調光制御部５と、ランプ３と調光制御部５との間に介装された遮熱板６と、筐体２内に収容されランプ３からの光Ｌを照度センサ４へ導く導光部７とを備える。照度センサ４は、遮熱板６に対して調光制御部５の側に配置される。【選択図】図１
2010067392.tif 000002
【特許請求の範囲】
【請求項１】
筐体と、
前記筐体内に収容されたランプと、
前記筐体内に収容され前記ランプの光出力を反映した照度を検出する照度センサと、
前記筐体内に収容され前記照度センサからの検出信号に基づいて前記ランプを調光制御する調光制御部と、
前記ランプと前記調光制御部との間に介装された遮熱板と、
前記筐体内に収容され前記ランプからの光を前記照度センサへ導く導光部と、
を備え、
前記照度センサは、前記遮熱板に対して前記調光制御部の側に配置されたことを特徴とする照明装置。
【請求項２】
前記遮熱板に採光窓が形成され、前記導光部は前記ランプからの光を前記採光窓を介して前記照度センサへ導くことを特徴とする請求項１記載の照明装置。
【請求項３】
前記ランプからの光を前方へ反射させる反射板を備え、
前記反射板に採光窓が形成され、
前記導光部は、前記遮熱板に対して前記ランプの側に配置され前記ランプからの光のうち前記反射板の前記採光窓を通過した光を反射させる反射鏡を含むことを特徴とする請求項１又は２記載の照明装置。
【請求項４】
前記ランプが高圧ナトリウムランプ又はメタルハライドランプであることを特徴とする請求項１乃至３のいずれかに記載の照明装置。
【請求項５】
トンネル入口照明に用いられることを特徴とする請求項１乃至４のいずれかに記載の照明装置。
【発明の詳細な説明】
【技術分野】
【０００１】
本発明は、自身のランプの光出力に応じた調光制御が可能な照明装置に関するものである。
【背景技術】
【０００２】
下記特許文献１には、自身のランプの光出力に応じた調光制御が可能な照明装置として、蛍光ランプと、該蛍光ランプの光出力を反映した照度を検出する照度センサと、前記照度センサからの検出信号に基づいて前記蛍光ランプを調光制御する調光制御部とを有する照明装置が開示されている。この照明装置では、照度センサにより検出される照度を一定に保つように調光量がフィードバック制御されている。
【０００３】
この照明装置によれば、経時変化等によりランプの光出力が低下しようとしても、ランプの光出力を一定に保つことができる。したがって、経時変化等によるランプの光出力の低下を見込んで初期照度を適正照度よりも高く設定しておく必要がなくなり、初期状態から適正照度を得ることができる。このため、無駄な電力の消費が抑えられ、省電力を図ることができる。
【特許文献１】特開２０００−３１５５８９号公報の図１５
【発明の開示】
【発明が解決しようとする課題】
【０００４】
前記特許文献１では、ランプ、調光制御部及び照度センサの配置等については何ら言及されていなかった。前記従来の照明装置では、ランプとして蛍光ランプが用いられ、発熱量の小さいランプを用いることを想定したものであったため、それらの配置等に特別に配慮する必要がない。
【０００５】
ところが、例えば、トンネル入口照明に用いる照明装置などでは、ランプとして高圧ナトリウムランプなどの高出力（したがって、発熱量の大きい）ランプが用いられている。したがって、このような照明装置に特許文献１に開示されたような技術を適用しようとすると、その発熱が大きな問題となり、その発熱によって調光制御部や照度センサが故障してしまい、装置の信頼性が低下してしまう。一方で、このような高出力のランプを用いた照明装置こそ、前述したような省電力効果が大きくなる。
【０００６】
本発明は、このような事情に鑑みてなされたもので、自身のランプの光出力に応じた調光制御が可能な照明装置であって、発熱量の大きいランプを用いても、その発熱による信頼性低下を抑制することができる照明装置を提供することを目的とする。
【課題を解決するための手段】
【０００７】
前記課題を解決するための手段として、以下の各態様を提示する。第１の態様による照明装置は、筐体と、前記筐体内に収容されたランプと、前記筐体内に収容され前記ランプの光出力を反映した照度を検出する照度センサと、前記筐体内に収容され前記照度センサからの検出信号に基づいて前記ランプを調光制御する調光制御部と、前記ランプと前記調光制御部との間に介装された遮熱板と、前記筐体内に収容され前記ランプからの光を前記照度センサへ導く導光部と、を備え、前記照度センサは、前記遮熱板に対して前記調光制御部の側に配置されたものである。
【０００８】
この第１の態様によれば、照度センサにより検出される照度を一定に保つようにランプの調光量をフィードバック制御することができる。したがって、経時変化等によりランプの光出力が低下しようとしても、ランプの光出力を一定に保つことができる。したがって、経時変化等によるランプの光出力の低下を見込んで初期照度を適正照度よりも高く設定しておく必要がなくなり、初期状態から適正照度を得ることができる。このため、無駄な電力の消費が抑えられ、省電力を図ることができる。
【０００９】
そして、前記第１の態様によれば、ランプと調光制御部との間に遮熱板が介装されているので、調光制御部に対してランプによる熱が遮熱される。このため、発熱量の大きいランプを用いても、その発熱による調光制御部の信頼性低下を抑制することができる。また、前記第１の態様によれば、照度センサが遮熱板に対して前記調光制御部の側に配置されているので、照度センサに対してランプによる熱が遮熱される。このため、発熱量の大きいランプを用いても、その発熱による照度センサの信頼性低下を抑制することができる。照度センサは、照度検出の点のみに着目すれば、ランプに近接して配置されてしまうのが通例であるが、前記第１の態様では、あえてランプから離れた場所である、遮熱板に対して前記調光制御部の側に照度センサを配置し、導光部によってランプの光をその離れた場所まで導くことで、照度センサに対する遮熱効果を得て、照度センサの信頼性低下を抑制しているのである。
【００１０】
第２の態様による照明装置は、前記第１の態様において、前記遮熱板に採光窓が形成され、前記導光部は前記ランプからの光を前記採光窓を介して前記照度センサへ導くものである。前記採光窓は、単なる孔でもよいし、ガラス部材等の透明部材で構成したものでもよい。
【００１１】
この第２の態様は遮熱板に形成した採光窓を利用する例を挙げたものであるが、前記第１の態様ではこの例に限定されるものではない。
【００１２】
第３の態様による照明装置は、前記第１又は第２の態様において、前記ランプからの光を前方へ反射させる反射板を備え、前記反射板に採光窓が形成され、前記導光部は、前記遮熱板に対して前記ランプの側に配置され前記ランプからの光のうち前記反射板の前記採光窓を通過した光を反射させる反射鏡を含むものである。
【００１３】
この第３の態様は導光部の例を挙げたものであるが、前記第１及び第２の態様ではこの例に限定されるものではない。例えば、前記導光部として光ファイバ等を用いてもよい。
【００１４】
第４の態様による照明装置は、前記第１乃至第３のいずれかの態様において、前記ランプが高圧ナトリウムランプ又はメタルハライドランプであるものである。
【００１５】
この第４の態様はランプの例を挙げたものであるが、前記第１乃至第３の態様ではこの例に限定されるものではない。例えば、前記ランプとしてＬＥＤランプ等を用いてもよい。
【００１６】
第５の態様による照明装置は、前記第１乃至第４のいずれかの態様において、トンネル入口照明に用いられるものである。
【００１７】
この第５の態様は、前記第１乃至第４の態様による照明装置の用途の例を挙げたものであるが、その用途はこの例に限定されるものではない。
【発明の効果】
【００１８】
本発明によれば、自身のランプの光出力に応じた調光制御が可能な照明装置であって、発熱量の大きいランプを用いても、その発熱による信頼性低下を抑制することができる照明装置を提供することができる。
【発明を実施するための最良の形態】
【００１９】
以下、本発明による照明装置について、図面を参照して説明する。
【００２０】
図１は、本発明の一実施の形態による照明装置としての、トンネル入口照明に用いられるトンネル入口照明装置１を示す前方（照明光の射出側）から見た概略平面図である。図２は、図１中のＡ矢視側面図である。図３は、図１中のＢ−Ｂ矢視断面図である。図４は、図１中のＣ−Ｃ矢視断面図である。図５は、図３中の一部を抜き出して、ランプ３から照度センサ４に至る光Ｌの様子を示す概略図である。図５において、後述する遮熱板６及び反射板１６の図示は省略している。
【００２１】
本実施の形態によるトンネル入口照明装置１は、前後方向（図１中の紙面に垂直な方向）に扁平した箱状の筐体２と、筐体２内に収容されたランプ３と、筐体２内に収容されランプ３の光出力を反映した照度を検出する照度センサ４と、筐体内に収容され照度センサ４からの検出信号に基づいてランプ３を調光制御する調光制御部５と、ランプ３と調光制御部５との間に介装された遮熱板６と、筐体２内に収容されランプ３からの光Ｌを照度センサ４へ導く導光部７とを備えている。
【００２２】
筐体２は、ステンレス板等で構成され前方の大部分が開口した箱状の本体１１と、本体１１の前方を覆うガラス板等からなる透明カバー１２とから構成されている。透明カバー１２の一方側が金具１３によって本体１１にヒンジ結合され、透明カバー１２は、ランプ３等の交換が容易となるように開閉自在となっている。透明カバー１２の他方側には、透明カバー１２を本体１１に対して取り外し自在に固定する留め金具１４が設けられている。なお、図面には示していないが、筐体２内の空間を外部に対して水密に保つことができるように、透明カバー１２と本体１１との間にパッキンが設けられている。本体１１の背面には、トンネルの壁面に取り付けるための取り付け脚１５が固定されている。
【００２３】
本実施の形態では、遮熱板６は、ステンレス板等の金属板で構成され、筐体２の内部空間を、図１及び図３中の左側室及び右側室の２つにほぼ仕切っている。図面には示していないが、遮熱板６は、Ｌ金具等によって本体１１の底面部に固定されている。前記左側室にはランプ３が配置され、前記右側室には調光制御部５（後述する電子安定器２３及び制御部２４）及び照度センサ４が配置されている。これにより、ランプ３と調光制御部５及び照度センサ４との間に、遮熱板６が介装されている。本実施の形態では、遮熱板６は、平板により構成されているが、２重板や波板等により構成してもよい。
【００２４】
本実施の形態では、ランプ３として高圧ナトリウムランプが用いられている。もっとも、本発明では、ランプ３として、例えば、メタルハライドランプを用いてもよいし、ＬＥＤランプを用いてもよい。前記左側室には、ランプ３から後方及び側方へ発した光を前方に反射させて照明光にする概略半円筒状の反射板１６が設けられている。反射板１６は、図示しない取り付け部材を介して本体１１に固定されている。ランプ３は、反射板１６にそれぞれ固定されたソケット１７及びランプ保持金具１８によって、保持されるようになっている。ランプ３は、発光管３ａを内蔵している。
【００２５】
反射板１６における発光管３ａの直下の位置に円形状の採光窓１６ｂ（図１参照）が形成されている。本実施の形態では、本実施の形態では、採光窓１６ｂは、孔であるが、ガラス部材等の透明部材で構成したものでもよい。採光窓１６ｂの直下には、ランプ３から発して採光窓１６ｂを通過した光を、照度検出用光として、遮熱板６に形成された採光窓６ａ（図４参照）へ向けて反射させる反射鏡２１が設けられている。本実施の形態では、採光窓６ａは孔であるが、ガラス部材等の透明部材で構成したものでもよい。反射板１６の背面に断面コ字状の反射部材２２が設けられ、反射部材２２の一端部に反射鏡２１が設けられ、反射部材２２の他端部が遮熱板６の採光窓６ａ付近に配置されている。反射部材２２の内面と反射板１６の背面とによって反射角筒が構成され、反射鏡２１で反射された照度検出用光が効率良く遮熱板６の採光窓６ａに向かうようになっている。照度センサ４は、前記右側室において遮熱板６の採光窓６ａ付近に配置され、採光窓６ａを介して照度検出用光を受光して、ランプ３の光出力を反映した照度を検出する。
【００２６】
以上の説明からわかるように、本実施の形態では、ランプ３からの光Ｌを照度センサ４へ導く導光部７は、反射鏡２１及び反射部材２２によって構成されている。もっとも、導光部７は、必ずしもこのような構成に限定されるものではない。例えば、反射部材２２は、ランプ３からの光Ｌを照度センサ４へ効率良く導くために設けることが好ましいが、必ずしも設けなくてもよい。また、導光部７は、光ファイバを用いて構成してもよい。
【００２７】
本実施の形態では、調光制御部５は、ランプ３を駆動するインバータ等からなる電子安定器２３と、電子安定器２３を制御する制御部２４とから構成されている。制御部２４は、ランプ３の光出力の目標値を示す光出力指令信号を外部から受けて、照度センサ４により検出される照度（すなわち、ランプ３の光出力）が光出力指令信号が示す目標値に応じた照度となるように、照度センサ４からの検出信号に基づいてフィードバック制御を行うように、電子安定器２３を制御する。本実施の形態によるトンネル入口照明装置１の電気的な概略構成は、後述する図６に示す通りである。
【００２８】
電子安定器２３及び制御部２４は、取り付け台２５を介して、本体１１の底面部に固定されている。なお、各部間の電気的な配線は、端子台２６を経由して行われるようになっている。
【００２９】
本実施の形態によれば、調光制御部５によって、照度センサ４により検出される照度を一定に（ここでは、光出力指令信号が示す目標値に応じた値に）保つようにランプ３の調光量をフィードバック制御することができる。したがって、経時変化等によりランプの光出力が低下しようとしても、ランプの光出力を一定に保つことができる。したがって、経時変化等によるランプの光出力の低下を見込んで初期照度を適正照度よりも高く設定しておく必要がなくなり、初期状態から適正照度を得ることができる。このため、無駄な電力の消費が抑えられ、省電力を図ることができる。
【００３０】
そして、本実施の形態によれば、ランプ３と調光制御部５との間に遮熱板６が介装されているので、調光制御部５に対してランプ３による熱が遮熱される。このため、発熱量の大きいランプ３を用いても、その発熱による調光制御部５の信頼性低下を抑制することができる。また、本実施の形態によれば、照度センサ４が遮熱板６に対して調光制御部５の側に配置されているので、照度センサ４に対してランプ３による熱が遮熱される。このため、発熱量の大きいランプ３を用いても、その発熱による照度センサ４の信頼性低下を抑制することができる。照度センサ４は、照度検出の点のみに着目すれば、ランプ３に近接して配置されてしまうのが通例であるが、本実施の形態では、あえてランプ３から離れた場所である、遮熱板６に対して調光制御部５の側に照度センサ４を配置し、導光部７によってランプ３の光をその離れた場所まで導くことで、照度センサ４に対する遮熱効果を得て、照度センサ４の信頼性低下を抑制しているのである。
【００３１】
図６は、本実施の形態によるトンネル入口照明装置１を複数用いたトンネル入口照明システムの一例を示す概略ブロック図である。このトンネル入口照明システムは、複数のトンネル入口照明装置１の他に、トンネル外部の照度を検出する外部照度センサ３１と、統括制御部３２とを備えている。複数のトンネル入口照明装置１は、トンネル入口から所定距離に渡って所定間隔でトンネル内に配置されている。統括制御部３２は、外部照度センサ３１からの検出信号に基づいて、トンネル外部の照度に応じてトンネル入口照明による照度が適切な照度となるように、前記光出力指令信号を各トンネル入口照明装置１に供給する。なお、前記光出力指令信号は、トンネル外部の照度に応じて２段階以上の段階的な目標値を示すように作成してもよいし、トンネル外部の照度に応じて連続的な目標値を示すように作成してもよい。
【００３２】
このトンネル入口照明システムによれば、本実施の形態によるトンネル入口照明装置１を用いているので、省電力を図りながら信頼性を高めることができる。
【００３３】
以上、本発明の一実施の形態によるトンネル入口照明装置とそれを用いたトンネル入口照明システムについて説明したが、本発明はこの実施の形態に限定されるものではない。例えば、本発明による照明装置は、トンネル入口照明装置のみならず他の種々の用途の照明装置にも適用することができる。
【図面の簡単な説明】
【００３４】
【図１】本発明の一実施の形態によるトンネル入口照明装置を示す前方から見た概略平面図である。
【図２】図２は、図１中のＡ矢視側面図である。
【図３】図３は、図１中のＢ−Ｂ矢視断面図である。
【図４】図１中のＣ−Ｃ矢視断面図である。
【図５】図３中の一部を抜き出して、ランプから照度センサに至る光の様子を示す概略図である。
【図６】図１乃至図５に示すトンネル入口照明装置を複数用いたトンネル入口照明システムの一例を示す概略ブロック図である。
【符号の説明】
【００３５】
１  トンネル入口照明装置
２  筐体
３  ランプ
４  照度センサ
５  調光制御部
６  遮熱板
７  導光部
【図１】
2010067392.tif 000003
【図２】
2010067392.tif 000004
【図３】
2010067392.tif 000005
【図４】
2010067392.tif 000006
【図５】
2010067392.tif 000007
【図６】
2010067392.tif 000008